Podtech/llm-jp-corpus-v4-ja_patent huggingface dataset:
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
式Ｉ：
【化１】
2009525318.tif 000001
［式中、Ｗは
（ａ）ＣＨ２ＮＨＣ（＝Ｚ）Ｒ１、
（ｂ）Ｃ（＝Ｚ）ＮＨＲ２、又は
（ｃ）ＣＨ２ｈｅｔ
であり；
ＸはＨ、Ｃ１−６アルキル、又はＣ２−６アルケニルであり；
ＹはＨ又はＦであり；
ＺはＯ又はＳであり；
Ｒ１は
（ａ）Ｃ１−６アルキル、
（ｂ）ＮＨＣ１−６アルキル、
（ｃ）Ｃ３−７シクロアルキル、
（ｄ）Ｃ２−６アルケニル、又は
（ｅ）ＯＣ１−４アルキル
であり；
Ｒ２は
（ａ）Ｈ、
（ｄ）Ｃ１−４アルキル、又は
（ｅ）−ＯＣ１−４アルキル
であり；
ｈｅｔは５又は６員のヘテロ環であり、該ヘテロ環は酸素、硫黄、及び窒素からなる群から選ばれる１〜４個のヘテロ原子を環内に含み、ｈｅｔ中の各炭素原子はＣ１−４アルキル、Ｃ２−４アルケニル、Ｃ２−４アルキニル、ハロ、ＯＲ３、ＣＮ、ＮＯ２、ＮＨＲ３Ｒ３、オキソ、ＣＦ３、ＯＣＦ３、Ｃ（＝Ｏ）Ｃ１−４アルキル、ＯＣ（＝Ｏ）Ｃ１−４アルキル、又はＣ（＝Ｏ）ＯＲ３で任意に置換され；
Ｒ３はＨ又はＣ１−４アルキルである］で表される化合物又はその薬学的に許容される塩。
【請求項２】
ＷがＣＨ２ＮＨＣ（＝Ｏ）Ｃ１−２アルキル又はＣＨ２ＮＨＣ（＝Ｏ）ＯＣ１−２アルキルであることを特徴とする請求項１に記載の化合物又はその薬学的に許容される塩。
【請求項３】
ＷがＣ（＝Ｏ）ＮＨＣ１−２アルキル又はＣ（＝Ｏ）ＮＨＯＣ１−２アルキルであることを特徴とする請求項１に記載の化合物又はその薬学的に許容される塩。
【請求項４】
Ｗが１，２，３−トリアゾール−１−イルメチルであることを特徴とする請求項１に記載の化合物又はその薬学的に許容される塩。
【請求項５】
（１）（Ｓ）−Ｎ−［３−（３−メチル−ベンゾ［ｄ］イソオキサゾール−６−イル）−２−オキソ−オキサゾリジン−５−イルメチル］−アセトアミド、
（２）（Ｓ）−Ｎ−［３−（３−メチル−ベンゾ［ｄ］イソオキサゾール−６−イル）−２−オキソ−オキサゾリジン−５−イルメチル］−プロピオンアミド、
（３）（Ｓ）−［３−（３−メチル−ベンゾ［ｄ］イソオキサゾール−６−イル）−２−オキソ−オキサゾリジン−５−イルメチル］−カルバミン酸メチルエステル、
（４）（Ｒ）−３−（３−メチル−ベンゾ［ｄ］イソオキサゾール−６−イル）−５−［１，２，３］トリアゾール−１−イルメチル−オキサゾリジン−２−オン、
（５）（Ｒ）−３−（３−メチル−ベンゾ［ｄ］イソオキサゾール−６−イル）−５−（４−トリメチルシラニルエチニル−［１，２，３］トリアゾール−１−イルメチル）−オキサゾリジン−２−オン、
（６）（Ｒ）−３−（３−メチル−ベンゾ［ｄ］イソオキサゾール−６−イル）−２−オキソ−オキサゾリジン−５−カルボン酸アミド、
（７）（Ｒ）−３−（３−メチル−ベンゾ［ｄ］イソオキサゾール−６−イル）−２−オキソ−オキサゾリジン−５−カルボン酸メチルアミド、
（８）（Ｒ）−３−（３−メチル−ベンゾ［ｄ］イソオキサゾール−６−イル）−２−オキソ−オキサゾリジン−５−カルボン酸メトキシアミド、又は
（９）（Ｒ）−３−（３−メチル−ベンゾ［ｄ］イソオキサゾール−６−イル）−２−オキソ−オキサゾリジン−５−カルボン酸エトキシアミド
であることを特徴とする請求項１に記載の化合物又はその薬学的に許容される塩。
【請求項６】
請求項１に記載の化合物又はその薬学的に許容される塩と、薬学的に許容される担体とを含有することを特徴とする医薬組成物。
【請求項７】
哺乳動物において細菌感染症を治療するための、請求項１に記載の化合物を含有することを特徴とする医薬組成物。
【請求項８】
経口投与、非経口投与、局所投与、直腸投与、又は鼻腔投与することを特徴とする請求項７に記載の医薬組成物。
【請求項９】
前記化合物の１日投与量が体重１ｋｇあたり約０．１〜約１００ｍｇであることを特徴とする請求項７に記載の医薬組成物。
【請求項１０】
前記化合物の１日投与量が体重１ｋｇあたり約１〜約５０ｍｇであることを特徴とする請求項７に記載の医薬組成物。
【請求項１１】
前記細菌感染症が、耳感染症、眼感染症、呼吸器感染症、皮膚及び皮膚組織感染症、細菌性心内膜炎、骨髄炎、心内膜炎、又は糖尿病足病変である、請求項７に記載の医薬組成物。
【請求項１２】
グラム陽性菌、グラム陰性菌、嫌気性生物、又は抗酸菌が原因である、細菌感染症を治療するための、請求項７に記載の医薬組成物。
【請求項１３】
ブドウ球菌、連鎖球菌、腸球菌、ヘモフィルス属細菌、モラクセラ属細菌、バクテロイデス属細菌、クロストリジウム属細菌、マイコバクテリウム属細菌、又はクラミジア属細菌を含む細菌が原因である、細菌感染症を治療するための、請求項７に記載の医薬組成物。
【請求項１４】
ブドウ球菌が黄色ブドウ球菌または表皮ブドウ球菌であり、連鎖球菌が肺炎連鎖球菌または化膿連鎖球菌であり、腸球菌が大便連鎖球菌であり、ヘモフィルス属細菌がインフルエンザ菌であり、モラクセラ属細菌がカタラリス菌であり、かつマイコバクテリウム属細菌がヒト型結核菌または鳥型結核菌である、請求項１３に記載の医薬組成物。
【請求項１５】
多剤耐性黄色ブドウ球菌が原因である、細菌感染症を治療するための、請求項７に記載の医薬組成物。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
(i)顆粒状物質の重量当り少なくとも50重量％の、化学式(I)で示されるリン酸塩を結合しうる固体の水不溶性混合金属化合物:
MII1-xMIIIx(OH)2An-y.zH2O          (I)
［式中、
MIIはマグネシウム、カルシウム、ランタンおよびセリウムの少なくとも１種であり;
MIIIは少なくとも鉄(III)であり;
An-は少なくとも１種のn価のアニオンであり;
x＝Σny;
0＜x≦0.67、0＜y≦1、および0≦z≦10である]
(ii)顆粒状物質の重量当り3から12重量％の非化学的結合水、および
(iii)顆粒状物質の重量当り47重量％以下の賦形剤、
を含む顆粒状物質。
【請求項２】
x＝Σny;0＜x≦0.5、0＜y≦1、および0≦z≦10である請求項１に記載の顆粒状物質。
【請求項３】
化学式(I)で示される混合金属化合物が層状複水酸化物から成る請求項１または２に記載の顆粒状物質。
【請求項４】
該混合金属化合物が、水酸化物イオンおよび炭酸イオンのうち少なくとも１つ、そして金属として鉄(III)およびマグネシウムを含む、請求項１から３のいずれか１つに記載の顆粒状物質。
【請求項５】
賦形剤として顆粒状物質の重量当り５から２０重量％のアルファ化澱粉を含む、請求項１から４のいずれか１つに記載の顆粒状物質。
【請求項６】
賦形剤として顆粒状物質の重量当り１から１５重量％の架橋ポリビニルピロリドンを含む、請求項１から５のいずれか１つに記載の顆粒状物質。
【請求項７】
賦形剤が少なくともアルファ化澱粉およびクロスポビドンを含む請求項１から６のいずれか１つに記載の顆粒状物質。
【請求項８】
顆粒状物質の重量当り少なくとも95％の顆粒が1180マイクロメートル未満の直径を有する、請求項１から７のいずれか１つに記載の顆粒状物質。
【請求項９】
請求項１から８のいずれか１つに記載の顆粒状物質を含有する耐水カプセルを含む経口投与の単位用量体。
【請求項１０】
請求項１から８のいずれか１つに記載の顆粒状物質の圧縮錠剤を含む経口投与の単位用量体。
【請求項１１】
該顆粒の間にさらに滑沢剤を含む請求項１０に記載の単位用量体。
【請求項１２】
該滑沢剤がステアリン酸マグネシウムであるかまたはそれを含む、請求項１１に記載の単位用量体。
【請求項１３】
耐水コーティングで被覆された、請求項１０から１２のいずれか１つに記載の単位用量体。
【請求項１４】
該耐水コーティングが少なくとも30重量％のブチルメタクリレート共重合体を含む、請求項１３に記載の単位用量体。
【請求項１５】
該錠剤が2mm以上の幅のベリーバンドを有する、請求項１３または１４に記載の単位用量体。
【請求項１６】
リン酸塩を結合しうる該固体の水不溶性無機化合物が少なくとも200mg含まれる、請求項９から１５のいずれか１つに記載の単位用量体。
【請求項１７】
請求項１から８のいずれか１つに記載の顆粒状物質の製造方法であって、下記の工程；
i)式(I)の化合物と１つ以上の賦形剤を混合して均一混合物を調製し、
ii)該均一混合物を造粒機内で適切な液体と接触、混合して湿顆粒を形成させ、
iii)適宜、該湿顆粒をふるいに通してふるいのサイズより大きい顆粒を取り除き、
iv)該湿顆粒を乾燥させて乾燥顆粒とし、
v)該乾燥顆粒を微粉砕および/またはふるいにかける
を含む製造方法。
【請求項１８】
該液体が水、エタノール、およびその混合物から選択される、請求項１７に記載の方法。
【請求項１９】
医薬に使用される、請求項１から８のいずれか１つに記載の顆粒状物質。
【請求項２０】
リン酸塩を結合する薬剤の製造における、請求項１から８のいずれか１つに記載の顆粒状物質の使用。
【請求項２１】
リン酸塩濃度と関連する症状または疾病の治療に用いられる薬剤の製造における、請求項１から８のいずれか１つに記載の顆粒状物質の使用。
【請求項２２】
有害なリン酸塩濃度に伴う症状または疾病の治療に用いられる薬剤の製造における、請求項１から８のいずれか１つに記載の顆粒状物質の使用。
【請求項２３】
血漿中のリン酸濃度の増大に伴う症状または疾病の治療に用いられる薬剤の製造における、請求項１から８のいずれか１つに記載の顆粒状物質の使用。
【請求項２４】
高リン血症の治療に用いられる薬剤の製造における、請求項１から８のいずれか１つに記載の顆粒状物質の使用。
【請求項２５】
実施例を参照して実質的に記載される顆粒状物質。
【請求項２６】
実施例を参照して実質的に記載される単位用量体。
【請求項２７】
実施例を参照して実質的に記載される方法。
【請求項２８】
実施例を参照して実質的に記載される使用。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
（ａ）ハロゲン化アルキル及びハロゲン化水素を形成するのに十分な処理条件下で、ハロゲン分子をメタン含有炭化水素原料と反応させることによりハロゲン化アルキルを形成し、実質的に全てのハロゲン分子を消費する工程、
（ｂ）一部の又は全てのハロゲン化アルキルをアルカン供給物と反応させることにより再分配化されたハロゲン化アルキルを形成し、モノハロゲン化炭化水素の存在する割合を増加させる工程、
（ｃ）高級炭化水素及び付加的なハロゲン化水素を形成するのに十分な処理条件下で、再分配化されたハロゲン化アルキルを第一の触媒と接触させる工程、
（ｄ）ハロゲン化水素から高級炭化水素を分離する工程、
（ｅ）ハロゲン分子及び水を形成するのに十分な処理条件下、酸素源の存在下でハロゲン化水素を第二の触媒と接触させることによりハロゲン分子を再生する工程、
（ｆ）水からハロゲン分子を分離してハロゲンの再利用を可能にする工程、及び
（ｇ）工程（ａ）〜（ｆ）を所望の回数繰り返すこと
を含む炭化水素原料を１つ又は２つ以上の高級炭化水素に転化する連続的な方法。
【請求項２】
さらに工程（ａ）及び／又は（ｂ）の後に、ポリハロゲン化アルキルからモノハロゲン化アルキルを分離する工程を含む請求項１に記載の方法。
【請求項３】
炭化水素原料が１つ又は２つ以上のＣ１‐Ｃ４炭化水素を含む請求項１に記載の方法。
【請求項４】
炭化水素原料が天然ガスを含む請求項１に記載の方法。
【請求項５】
ハロゲンが臭素を含む請求項１に記載の方法。
【請求項６】
ハロゲンが塩素を含む請求項１に記載の方法。
【請求項７】
アルカン供給物が少なくとも１容量％の１つ又は２つ以上のＣ２‐Ｃ５炭化水素を含む請求項１に記載の方法。
【請求項８】
再分配化触媒の存在下でモノハロゲン化アルキルの存在する量が増加する請求項１に記載の方法。
【請求項９】
再分配化触媒が金属、金属‐酸素材料、又はハロゲン化金属を含む請求項１に記載の方法。
【請求項１０】
第一の触媒がゼオライトを含む請求項１に記載の方法。
【請求項１１】
ゼオライトが金属ドープ型ゼオライト又はイオン交換型ゼオライトを含む請求項１に記載の方法。
【請求項１２】
ゼオライトがマンガンでドープされている請求項１に記載の方法。
【請求項１３】
第二の触媒が、ＣａＯ、ＣｅＯ２、Ｃｏ３Ｏ４、ＣｕＯ、ＮｉＯ、ＭｇＯ、カーバイド、窒化物、炭素、及びクレーからなる群から選択される少なくとも１つの材料を含む請求項１に記載の方法。
【請求項１４】
第二の触媒がＣｕＯ又はＣｅＯ２を含む請求項１に記載の方法。
【請求項１５】
第二の触媒が、Ａｇ、Ａｕ、Ｂａ、Ｃａ、Ｃｅ、Ｃｏ、Ｃｒ、Ｃｕ、Ｆｅ、Ｍｇ、Ｍｎ、Ｍｏ、Ｎｂ、Ｎｉ、Ｐｂ、Ｐｄ、Ｐｔ、Ｓｒ、Ｔａ、Ｖ、Ｗ、Ｍｇ、Ｖ、又はＺｎのハロゲン化物、酸化物、及びオキシハロゲン化物からなる群から選択される少なくとも１種の材料を含む請求項１に記載の方法。
【請求項１６】
圧力スウィング蒸留又は抽出蒸留を用いて臭化水素酸水からＨＢｒを分離する請求項１に記載の方法。
【請求項１７】
抽出剤としてＣａＢｒ２、ＭｇＢｒ２、ＫＢｒ、ＮａＢｒ、ＬｉＢｒ又はこれらの混合物の水溶液を使用して抽出蒸留を行なう請求項１６に記載の方法。
【請求項１８】
抽出剤として硫酸を使用して抽出蒸留を行なう請求項１６に記載の方法。
【請求項１９】
再分配化に使用するアルカン供給物が、大量のＣ２‐Ｃ５炭化水素を含む炭化水素供給ガスを含む請求項１に記載の方法。
【請求項２０】
炭化水素原料のハロゲン化及び再分配化されたハロゲン化アルキルの形成を別々の反応器で行なう請求項１に記載の方法。
【請求項２１】
（ａ）ハロゲン化アルキル及びハロゲン化水素を形成するのに十分な処理条件下で、ハロゲン化反応器内でハロゲン分子をメタン含有炭化水素原料と反応させることによりハロゲン化アルキルを形成し、実質的に全てのハロゲン分子を消費する工程、
（ｂ）ハロゲン化アルキルから未反応メタンを分離してハロゲン化反応器の中に戻す工程、
（ｃ）一部の又は全てのハロゲン化アルキルを少なくとも１容量％のＣ２‐Ｃ５炭化水素を含むアルカン供給物と反応させることにより再分配化されたハロゲン化アルキルを形成し、モノハロゲン化炭化水素の存在する割合を増加させる工程、
（ｄ）高級炭化水素及び付加的なハロゲン化水素を形成するのに十分な処理条件下で、再分配化されたハロゲン化アルキルを第一の触媒と接触させる工程、
（ｅ）ハロゲン化水素から高級炭化水素を分離する工程、
（ｆ）ハロゲン分子及び水を形成するのに十分な処理条件下、酸素源の存在下でハロゲン化水素を第二の触媒と接触させることによりハロゲン分子を再生する工程、
（ｇ）水からハロゲン分子を分離してハロゲンの再利用を可能にする工程、及び
（ｈ）工程（ａ）〜（ｇ）を所望の回数繰り返すこと
を含む炭化水素原料を１つ又は２つ以上の高級炭化水素に転化する連続的な方法。
【請求項２２】
炭化水素原料のハロゲン化及び再分配化されたハロゲン化アルキルの形成を別々の反応器で行なう請求項２１に記載の方法。
【請求項２３】
（ａ）ハロゲン化アルキルを形成するのに十分な処理条件下で、炭化水素原料をハロゲン分子と反応させることにより１つ又は２つ以上のハロゲン化アルキルを形成する工程、
（ｂ）高級炭化水素及びハロゲン化水素を形成するのに十分な処理条件下でハロゲン化アルキルを第一の触媒と接触させることにより１つ又は２つ以上の高級炭化水素及びハロゲン化水素を形成する工程、
（ｃ）ハロゲン化水素から高級炭化水素を分離する工程、
（ｄ）ハロゲンを形成するのに十分な処理条件下、酸素源の存在下でハロゲン化水素を第二の触媒と接触させることによりハロゲンを再生する工程、及び
（ｅ）工程（ａ）〜（ｄ）を所望の回数繰り返す工程
を含む炭化水素原料を１つ又は２つ以上の高級炭化水素に転化する連続的な方法。
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
鬱病、または不安に伴う症状を治療するための薬剤の調製におけるデキストロメトルファンとキニジンの組み合わせの使用であって、
薬剤中のデキストロメトルファンの量が、１日当たり約１０ｍｇから約２００ｍｇのデキストロメトルファンが送達されるような量であり、
薬剤中のキニジンの量が、１日当たり約１ｍｇから約５０ｍｇ未満のキニジンが送達されるような量である使用。
【請求項２】
薬剤中のデキストロメトルファンの量が、１日当たり約２０ｍｇから約２００ｍｇ未満のデキストロメトルファンが送達されるような量であり、
薬剤中のキニジンの量が、１日当たり約１０ｍｇから約５０ｍｇ未満のキニジンが送達されるような量である請求項１に記載の使用。
【請求項３】
薬剤中のキニジンの量が、１日当たり約１０ｍｇから約４５ｍｇのキニジンが投与されるような量である請求項1〜２のいずれか一項に記載の使用。
【請求項４】
薬剤中のキニジンの量が、１日当たり約２０ｍｇから約４５ｍｇのキニジンが投与されるような量である請求項１〜３のいずれか一項に記載の使用。
【請求項５】
薬剤中のデキストロメトルファンの量が、１日当たり約２０ｍｇから約６０ｍｇのデキストロメトルファンが投与されるような量である請求項１〜４のいずれか一項に記載の使用。
【請求項６】
キニジンとデキストロメトルファンの少なくとも一つが、薬剤として許容される塩の形になっている請求項１〜５のいずれか一項に記載の使用。
【請求項７】
前記薬剤として許容される塩が、遊離酸の塩、無機塩、硫酸塩、塩酸塩、および臭化水素酸塩からなる群より選択される請求項６に記載の使用。
【請求項８】
前記キニジンが硫酸キニジンの形になっており、
前記デキストロメトルファンが臭化水素酸デキストロメトルファンの形になっている請求項１〜７のいずれか一項に記載の使用。
【請求項９】
前記薬剤が、約４５ｍｇの臭化水素酸デキストロメトルファンと、約１０ｍｇの硫酸キニジンを含む単位用量形態を含む請求項１〜８のいずれか一項に記載の使用。
【請求項１０】
前記薬剤が、約３０ｍｇの臭化水素酸デキストロメトルファンと、約１０ｍｇの硫酸キニジンを含む単位用量形態を含む請求項１〜９のいずれか一項に記載の使用。
【請求項１１】
前記薬剤が、約２０ｍｇの臭化水素酸デキストロメトルファンと、約１０ｍｇの硫酸キニジンを含む単位用量形態を含む請求項１〜１０のいずれか一項に記載の使用。
【請求項１２】
前記薬剤が、約１５ｍｇの臭化水素酸デキストロメトルファンと、約１０ｍｇの硫酸キニジンを含む単位用量形態を含む請求項1〜１１のいずれか一項に記載の使用。
【請求項１３】
前記薬剤が、約１０ｍｇの臭化水素酸デキストロメトルファンと、約１０ｍｇの硫酸キニジンを含む単位用量形態を含む請求項1〜１２のいずれか一項に記載の使用。
【請求項１４】
前記薬剤が、１日に１回、１日に２回または１日に３回投与されるように構成されている経口製剤である請求項1〜１３のいずれか一項に記載の使用。
【請求項１５】
前記薬剤が、錠剤単位用量形態またはカプセル剤単位用量形態の経口製剤である請求項1〜１４のいずれか一項に記載の使用。
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
アンドロゲン枯渇療法を受けている患者においてアンドロゲン依存性癌を治療するための、ＩＧＦ−ＩＲアンタゴニストを含有するアンドロゲン依存性癌治療用医薬組成物。
【請求項２】
アンドロゲン依存性癌が前立腺癌である、請求項１に記載の組成物。
【請求項３】
ＩＧＦ−ＩＲアンタゴニストがＩＧＦ−ＩＲと結合する抗体である、請求項１に記載の組成物。
【請求項４】
ＩＧＦ−ＩＲアンタゴニストがＩＭＣ−Ａ１２である、請求項１または３に記載の組成物。
【請求項５】
アンドロゲン枯渇療法が睾丸摘出である、請求項１〜４いずれかに記載の組成物。
【請求項６】
請求項１〜４何れかに記載の医薬組成物、および
黄体形成ホルモン放出ホルモン（ＬＨＲＨ）類似体を含有する医薬組成物
を含有する、アンドロゲン依存性癌治療用キット。
その他：
補正前の請求項が「治療法」であったものを、医薬組成物としました。補正前後の請求項の対応関係は下記のとおりとなります：
2009525348.tif 000001
上記のとおり、本補正は出願時の明細書並びに特許請求の範囲の記載内のものであり、新記事項を追加するものではありません。
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
式(Ia)：
M-X-Y-ONO2        (Ia)
［一般式(Ia)中、M、XおよびYは次の意味を有する：
Mは、
【化１】
2009525302.tif 000001
（ここで、RAは水素原子または-C(O)CH3である）
【化２−１】
2009525302.tif 000002
【化２−２】
2009525302.tif 000003
【化２−３】
2009525302.tif 000004
【化２−４】
2009525302.tif 000005
【化２−５】
2009525302.tif 000006
から選択される残基であり、
Xは、-O-、-S-または-NR1-（ここで、R1はHまたは直鎖状もしくは分枝鎖状のC1-C6アルキルである）であり、
Yは次の意味：
a)
−ハロゲン原子、ヒドロキシ、-ONO2またはT（ここで、Tは-OC(O)(C1-C10アルキル)-ONO2または-O(C1-C10アルキル)-ONO2である）からなる群から選択される1以上の置換基で任意に置換されていてもよい、直鎖状または分枝鎖状のC1-C20アルキレンである；
−直鎖状または分枝鎖状のC1-C10アルキル基で任意に置換されていてもよいC5-C7シクロアルキレン基；
【化３】
2009525302.tif 000007
（ここで、nは0〜20の整数であり；
n1は1〜20の整数である）；
但し、Yがb)およびc)で挙げられた2価の基から選択されるとき、式(I)の-ONO2基は-(CH2)n1-に結合している；
d)
【化４】
2009525302.tif 000008
（ここで、X1 = -OCO-または-COO-であり、R2はHまたはCH3であり；
naは1〜20の整数であり；
n2は0〜2の整数である）；
e)
【化５】
2009525302.tif 000009
（ここで、Y1は-CH2-CH2-(CH2)n2-；または-CH=CH-(CH2)n2-であり；
X1、na、n2およびR2は上記で定義されたとおりである）；
f)
【化６】
2009525302.tif 000010
（ここで、naおよびR2は上記で定義されたとおりであり、R3はHまたは-COCH3である）；
但し、Yがd)〜f)で挙げられた2価の基から選択されるとき、式(I)の-ONO2基は-(CH2)naに結合しており；
Xが-NR1-（ここで、R1は上記で定義されたとおりである）であるとき、Yはf)でない；
g)
【化７】
2009525302.tif 000011
（ここで、X2は-O-または-S-であり、n3は1〜6の整数であり、R2は上記で定義されたとおりである）；
を有する2価の基である］
の一酸化窒素放出性化合物、またはそのエナンチオマーもしくはジアステレオマーを含む、筋ジストロフィーの治療用医薬組成物。
【請求項２】
式(Ia)の化合物が、式(Ib)：
【化８】
2009525302.tif 000012
の2-(アセチルオキシ)安息香酸 3-(ニトロオキシメチル)フェニルエステルである、請求項1に記載の医薬組成物。
【請求項３】
式(Ia)の化合物が、式(IIIb)：
【化９】
2009525302.tif 000013
の2-フルオロ-α-メチル-4[1,1'-ビフェニル]4-酢酸の4-ニトロオキシブチルエステルである、請求項1に記載の医薬組成物。
【請求項４】
式(Ia)において、Mが、
【化１０−１】
2009525302.tif 000014
【化１０−２】
2009525302.tif 000015
から選択され、
Xが酸素原子であり、
Yが、
−直鎖状のC1-C10アルキレン；
b)
【化１１】
2009525302.tif 000016
（ここで、nは0〜5の整数であり；
n1は1〜5の整数である）
から選択される、請求項1に記載の医薬組成物。
【請求項５】
式(Ia)の化合物が、
プラバスタチン4-(ニトロオキシ)ブチルエステル
【化１２】
2009525302.tif 000017
プラバスタチン4-(ニトロ-オキシメチル)ベンジルエステル
【化１３】
2009525302.tif 000018
アトルバスタチン3-(ニトロオキシ)ブチルエステル
【化１４】
2009525302.tif 000019
アトルバスタチン3-(ニトロオキシメチル)ベンジルエステル
【化１５】
2009525302.tif 000020
から選択される、請求項4に記載の医薬組成物。
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
哺乳動物対象における変性性障害の処置用医薬組成物であって、Rac1b阻害薬を含む、前記組成物。
【請求項２】
哺乳動物対象におけるアミロイドβペプチドの生成を阻害するための医薬組成物であって、Rac1b阻害薬を含む、前記組成物。
【請求項３】
前記阻害薬がNotch開裂またはBACE活性を実質的に変化させない、請求項１または２の医薬組成物。
【請求項４】
アルツハイマー病を処置するための、請求項１または２の医薬組成物。
【請求項５】
変性性障害の処置に使用するための候補化合物を製造、同定、選択または最適化する方法であって、被験化合物がRac1bを阻害するかを判定することを含み、Rac1b阻害は被験化合物が変性性障害の処置に使用するための候補化合物であることの指標である方法。
【請求項６】
被験化合物とRac1bを接触させて、該化合物がRac1bを結合するか、またはRac1b依存性の細胞骨格再配列を阻害するかを判定することを含む、請求項５の方法。
【請求項７】
酸化ストレスの存在または素因を検出する方法であって、対象からの試料においてRac1bの存在または（相対）量を検出することを含み、Rac1bの存在はAβ関連-酸化ストレスの存在または素因の指標である方法。
【請求項８】
対象において変性性障害の存在、病期または素因を検出する方法であって、対象からの試料においてRac1bの存在または（相対）量を検出することを含み、Rac1bの存在は該障害の存在、病期または素因の指標である方法。
【請求項９】
Rac1aイソ型とRac1bイソ型の比率を測定し、その比率における変動は疾患の素因、存在または病期に関する指標である、請求項８の方法。
【請求項１０】
Rac1aとRac1bを特異的に識別するオリゴヌクレオチドまたは一組のオリゴヌクレオチド。
【請求項１１】
Rac1エキソン3bを、または該エキソン3bの保持もしくはスプライシングにより形成されたジャンクション領域を特異的に結合する、5〜60塩基を含む一本鎖オリゴヌクレオチド。
【請求項１２】
VGETYGKDITSRGKDKPIA（SEQ ID NO:13）内に含まれるエピトープを結合する抗体。
【請求項１３】
SEQ ID NO:13またはその少なくとも5個の連続アミノ酸のエピトープ含有フラグメントを含む、アミノ酸50個未満の長さのポリペプチド。
【誤訳訂正書】
【提出日】平成22年2月8日(2010.2.8)
【誤訳訂正１】
【訂正対象書類名】明細書
【訂正対象項目名】特許請求の範囲
【訂正方法】変更
【訂正の内容】
【特許請求の範囲】
【請求項１】  ヘア又はボディ用洗浄組成物の製造方法であって、
（ｉ）カチオン性セルロース及びカチオン性グアー誘導体から選択されるカチオン性沈着ポリマーの水溶液を調製し、
（ｉｉ）得られた溶液に懸濁粒状物質を添加し、
（ｉｉｉ）カチオン性沈着ポリマーの等電点の１．５ｐＨ単位の範囲内に溶液のｐＨを調節し、混合し、
（ｉｖ）混合物のｐＨを再度調節してカチオン性沈着ポリマーを再帯電し、
（ｖ）こうして得られた混合物を、アニオン性界面活性剤、陰電荷を有するように改変された両性界面活性剤及びその混合物からなる群から選択される少なくとも1つの洗浄性界面活性剤を含むベースヘア又はボディシャンプー組成物と混合するステップ
を含むことを特徴とする前記方法。
【請求項２】  懸濁粒状物質が乳化シリコーンまたはペル−アルカ（エン）イル炭化水素物質であることを特徴とする請求の範囲第１項に記載の方法。
【請求項３】  洗浄性界面活性剤がアルキルスルフェート、アルキルエーテルスルフェート及びその混合物からなる群から選択されることを特徴とする請求の範囲第１項または第２項に記載の方法。
【誤訳訂正２】
【訂正対象書類名】明細書
【訂正対象項目名】００６８
【訂正方法】変更
【訂正の内容】
【００６８】
カチオン性沈着ポリマーと懸濁粒状物質の吸着物を作成する１つの便利な方法は、（ｉ）カチオン性沈着ポリマーの水溶液を調製し、（ｉｉ）得られた溶液に懸濁粒状物質を添加し、（ｉｉｉ）カチオン性沈着ポリマーがその等電点またはその近くになるように溶液のｐＨを調節し、混合し、その後混合物のｐＨを再度調節してカチオン性沈着ポリマーを再帯電することによる。
【誤訳訂正３】
【訂正対象書類名】明細書
【訂正対象項目名】００７０
【訂正方法】変更
【訂正の内容】
【００７０】
上記ステップ（ｉｉｉ）後再帯電したとき、ポリマー１ｇ当たりのカチオン電荷のモルとして定義されるカチオン性沈着ポリマーのカチオン電荷密度は通常少なくとも０．１ｍｅｑ／ｇ、好ましくは０．８ｍｅｑ／ｇ以上でなければならない。カチオン電荷密度は通常４ｍｅｑ／ｇを越えてはならない。好ましくは、３ｍｅｑ／ｇ未満、より好ましくは２ｍｅｑ／ｇ未満である。電荷密度は電導度分析により測定することができる。
【誤訳訂正４】
【訂正対象書類名】明細書
【訂正対象項目名】００７１
【訂正方法】変更
【訂正の内容】
【００７１】
例えば、好ましいカチオン性沈着ポリマーは、通常再帯電したときに約０．８ｍｅｑ／ｇのカチオン電荷密度を有するＪＡＧＵＡＲ  Ｃ１３Ｓである。
【誤訳訂正書】
【提出日】平成22年4月30日(2010.4.30)
【誤訳訂正１】
【訂正対象書類名】明細書
【訂正対象項目名】００６２
【訂正方法】変更
【訂正の内容】
【００６２】
免疫検出キットには、一抗体またはcGMP特異性PDEと特異的に反応する抗体および免疫検出用試薬、ならびにそれぞれを包含するための手段が含まれる。もっともふつうに、免疫検出用試薬は、もっともふつうには、抗体と結合する標識、または第二結合リガンドと結合する標識を有する。免疫検出キットはまた、他の種に対する抗体、例えば上記の抗PKG 1β 抗体および抗β−カテニン抗体などを利用してもよい。
核酸検出キットは、分離したcGMP特異性PDE 核酸断片、またはcGMP特異性PDEの離れた配列とハイブリダイズし、cGMP特異性PDE の核酸断片を増幅できる核酸プライマーを含む。
そのようなキットを用いて、新生物組織試料中のcGMP特異性PDEタンパク質または mRNAの量をそれぞれ検出する。正常組織と比較した新生物組織中でのcGMP特異性PDEタンパク質またはmRNAの上昇量の検出は、新形成がcGMP特異性PDEインヒビターによって治療できる可能性を有することを示している。
【誤訳訂正書】
【提出日】平成22年4月12日(2010.4.12)
【誤訳訂正１】
【訂正対象書類名】明細書
【訂正対象項目名】０４１２
【訂正方法】変更
【訂正の内容】
【０４１２】
４つの陽性プールを同定した。これを破壊して、４つの純粋なクローン（１−Ｂ１−６６、４−Ｄ７−２８、３−Ｇ３−１０および１０−Ｃ１０−３１といわれる）を、それぞれ、４８１ｂｐ、１８３ｂｐ、１１０ｂｐおよび１４００ｂｐのインサートの大きさで得た。１−Ｂ１−６６、４−Ｄ７−２８、３−Ｇ３−１０および１０−Ｃ１０−３１について決定されたＤＮＡ配列を、それぞれ、配列番号１〜４に提供する。クローン１−Ｂ１−６６は、Ｃ．ｔｒａｃｈｏｍａｔｉｓゲノムのおよその領域５３６６９０（ＮＣＢＩ  Ｃ．ｔｒａｃｈｏｍａｔｉｓデータベース）にある。クローン１−Ｂ１−６６内には、以前に同定された９ｋＤａタンパク質（Ｓｔｅｐｈｅｎｓら、Ｇｅｎｂａｎｋ登録番号ＡＥ００１３２０）をコードするオープンリーディングフレーム（ＯＲＦ）（ヌクレオチド１１５−３７５）が同定されており、この配列を、配列番号５に提供する。クローン４−Ｄ７−２８は、同じＯＲＦのより小さな領域である（１−Ｂ１−６６のアミノ酸２２〜８２）。クローン３−Ｇ３−１０は、Ｃ．ｔｒａｃｈｏｍａｔｉｓゲノムのおよその領域７４５５９にある。このインサートを、このゲノムのその配向に関してアンチセンスの配向においてクローニングする。クローン１０−Ｃ１０−３１は、Ｃｈｌａｍｙｄｉａ  ｔｒａｃｈｏｍａｔｉｓ由来のＳ１３リボソームタンパク質について以前に公開された配列に対応するオープンリーディングフレームを含む（Ｇｕ，Ｌ．ら、Ｊ．Ｂａｃｔｅｒｉｏｌｏｇｙ、１７７：２５９４〜２６０１、１９９５）。４−Ｄ７−２８および１０−Ｃ１０−３１についての推定タンパク質配列を、それぞれ、配列番号６および１２に提供する。３−Ｇ３−１０についての推定タンパク質配列を、配列番号７〜１１に提供する。
【誤訳訂正書】
【提出日】平成21年12月17日(2009.12.17)
【誤訳訂正１】
【訂正対象書類名】明細書
【訂正対象項目名】００４９
【訂正方法】変更
【訂正の内容】
【００４９】
本発明者らが重要なタンパク質の群を同定したということであれば、このようなタンパク質は抗微生物治療の潜在的な標的である。しかしながら、個々の各タンパク質が該生物の生存能力に必須であるか否かを決定することが必要である。従って、本発明は、本明細書に記載されるタンパク質又はポリペプチドが潜在的な抗微生物標的に相当するか否かを決定する方法であって、該タンパク質を不活性化する工程及び肺炎連鎖球菌がインビトロ又はインビボでまだ生存可能かどうかを決定する工程を含む方法も提供する。
【誤訳訂正書】
【提出日】平成22年8月3日(2010.8.3)
【誤訳訂正１】
【訂正対象書類名】明細書
【訂正対象項目名】請求項４
【訂正方法】変更
【訂正の内容】
【請求項４】
ラセミ形およびエナンチオマー的に純粋な形の下記式Ｉを有する請求項１ないし３のいずれかの化合物；
【化２】
2002531573.tif 000001
式中、基Ａおよび二つのリン含有基は任意の配列でグリセロール骨格のＣ原子Ｃ１，Ｃ２およびＣ３へ連結されており；
Ｘ１，Ｘ２，Ｘ３およびＸ４は互いに同一または異なって、独立に酸素またはイオウであり；
Ａはアルキル、ヒドロキシ、メルカプト、またはアルキルもしくはアシル置換ヒドロキシであり、その場合、アルキルもしくはアシル基は直鎖または分枝した、そして任意に二つまでの二重結合および任意に１ないし３の芳香族基によって置換された１ないし２４のＣ原子を有し、
Ｚは水素またはこの化合物の酸形に対応する塩であり；
Ｎ１およびＮ２の一方はヒドロキシカルボニルもしくはその酸形であり、他方はＤ−またはＬ−構造のヌクレオシド誘導体であるか、または二つのＮ１およびＮ２は互いに異なって、各自Ｄ−もしくはＬ−構造のヌクレオシド誘導体であり、ここでヌクレオシド誘導体基は一般式ＩＩ，ＩＩＩおよびＩＶの基もしくはそれらの互変異性体形から選択され、
【化３】
2002531573.tif 000002
【化４】
2002531573.tif 000003
【化５】
2002531573.tif 000004
式中、
Ｙは酸素またはイオウであり；
Ｒ1 はヒドロキシル、アミノ、アシル化、アルキル化もしくはポリオキシエチレン置換アミノ基であって、そのアシルまたはアルキル基は直鎖もしくは分枝のＣ原子１ないし２４を有しそして任意に二つまでの二重結合を持ち、そして芳香族基によって置換されていることができ；
Ｒ2 は水素、ハロゲン、アミノもしくはヒドロキシル基か、またはブロモビニルまたは直鎖もしくは文枝のＣ1 −Ｃ24アルキル基であり；
Ｒ3 ，Ｒ4 ，Ｒ5 ，Ｒ6 ，Ｒ7 およびＲ8は同一または異なって、水素、ハロゲン、ヒドロキシル、エチニルまたはアジドであるが、Ｒ3 ないしＲ8の一つはヌクレオシド誘導体基がリン原子へそれによって連結される酸素であり、そしてＣ＝Ｃ二重結合が位置ａに存在する時はＲ3 ないしＲ6の隣接する二つの基は省かれることを条件とする。
【誤訳訂正書】
【提出日】平成22年4月28日(2010.4.28)
【誤訳訂正１】
【訂正対象書類名】明細書
【訂正対象項目名】特許請求の範囲
【訂正方法】変更
【訂正の内容】
【特許請求の範囲】
【請求項１】  青色のエレクトロルミネセンスを提供するリチウムキノレートまたは置換されたキノレートであって、該リチウムキノレートまたは置換されたキノレートは、リチウムアルキルまたはリチウムアルコキシドの、アセトニトリルを含む溶媒中での、８−ヒドロキシキノリンとの反応によって得ることが可能であり、該８−ヒドロキシキノリンは、非置換であっても、アルキル、アルコキシ、アリール、アリールオキシ、スルホン酸、エステル、カルボン酸、アミノまたはアミド基、あるいは芳香族基、多環系基または複素環式基から選択される置換基を有してもよい、リチウムキノレートまたは置換されたキノレート。
【請求項２】  青色のエレクトロルミネセンスを提供するリチウムキノレートまたは置換されたキノレートを作製する方法であって、該方法が、リチウムアルキルまたはリチウムアルコキシドを、アセトニトリルを含む溶媒中で、８−ヒドロキシキノリンと反応させる工程を包含し、該８−ヒドロキシキノリンは、非置換であっても、アルキル、アルコキシ、アリール、アリールオキシ、スルホン酸、エステル、カルボン酸、アミノまたはアミド基、あるいは芳香族基、多環系基または複素環式基から選択される置換基を有してもよい、
方法。
【請求項３】  エチルリチウム、プロピルリチウムまたはブチルリチウムが、前記８−ヒドロキシキノリンまたは置換８−ヒドロキシキノリンと反応させられる、請求項２に記載の方法。
【請求項４】  ｎ−ブチルリチウムが、前記８−ヒドロキシキノリンまたは置換８−ヒドロキシキノリンと反応させられる、請求項２に記載の方法。
【請求項５】  エレクトロルミネセンスデバイスであって、該エレクトロルミネセンスデバイスが、第一電極、青色光を発するエレクトロルミネセンス材料の層、および第二電極を順番に備え、該青色光を発するエレクトロルミネセンス材料が、リチウムキノレートまたは置換されたキノレートであり、該リチウムキノレートまたは置換されたキノレートは、リチウムアルキルまたはリチウムアルコキシドの、アセトニトリルを含む溶媒中での、８−ヒドロキシキノリンとの反応によって得ることが可能であり、該８−ヒドロキシキノリンは、非置換であっても、アルキル、アルコキシ、アリール、アリールオキシ、スルホン酸、エステル、カルボン酸、アミノまたはアミド基、あるいは芳香族基、多環系基または複素環式基から選択される置換基を有してもよいことを特徴とする、
エレクトロルミネセンスデバイス。
【請求項６】  請求項５に記載のデバイスであって、前記導電性基板上に正孔輸送物質の層が存在し、そして、該正孔輸送物質の層上に前記リチウムキノレートが存在する、
デバイス。
【請求項７】  前記正孔輸物質がポリアミンである、請求項６に記載のデバイス。
【請求項８】  請求項７に記載のデバイスであって、前記正孔輸送層が、ポリ（ビニルカルバゾール）、またはＮ，Ｎ’−ジフェニル−Ｎ，Ｎ’−ビス（３−メチルフェニル）−１，１’−ビフェニル−４，４’−ジアミン（ＴＰＤ）である、
デバイス。
【請求項９】  前記正孔輸送層がポリアニリンである、請求項７に記載のデバイス。
【請求項１０】  請求項５〜９のいずれか１項に記載のデバイスであって、正孔輸送物質が、５〜９５重量％の前記リチウムキノレート対９５〜５重量％の正孔輸送物質の比で該リチウムキノレートと混合される、
デバイス。
【請求項１１】  請求項５〜１０のいずれか１項に記載のデバイスであって、前記リチウムキノレートが、ポリオレフィンと混合され、該混合物における該リチウムキノレートの量が、該混合物の９５重量％〜５重量％である、
デバイス。
【請求項１２】  請求項５〜１１のいずれか１項に記載のデバイスであって、前記カソードと前記リチウムキノレート層の間に、電子注入物質の層が存在する、
デバイス。
【請求項１３】  請求項５〜１２のいずれか１項に記載のデバイスであって、前記リチウムキノレートと混合された電子注入層が存在する、
デバイス。
【請求項１４】  請求項１２または１３に記載のデバイスであって、前記電子注入層が、電流がそれを通して通った場合に電子を輸送する、アルミニウムキノレートである、
デバイス。
【請求項１５】  請求項５〜１４のいずれか１項に記載のデバイスであって、前記アノードが、透明導電性ガラスである、
デバイス。
【請求項１６】  エレクトロルミネセンスデバイスであって、該エレクトロルミネセンスデバイスが、アノードとして作用する導電性基板、正孔輸送物質の層、リチウムキノレート層、電子注入物質の層、およびカソードとして作用する金属を順番に備え、該リチウムキノレートが、リチウムアルキルまたはリチウムアルコキシドと、８−ヒドロキシキノリンまたは置換８−ヒドロキシキノリンとの、アセトニトリルを含む溶媒の溶液中での反応により作製される、青色光を発するリチウムキノレートであることを特徴とする、
エレクトロルミネセンスデバイス。
【請求項１７】  第一電極、エレクトロルミネセンス材料の層、および第二電極を順番に備えるエレクトロルミネッセンスデバイスを形成する方法であって、該方法は、該エレクトロルミネッセンス材料を該第一電極上に堆積させる工程を包含し、該方法が、リチウムアルキルまたはリチウムアルコキシドを、８−ヒドロキシキノリンと、アセトニトリルを含む溶媒中で反応させて、青色光を発するリチウムキノレートを形成する工程、および形成された該リチウムキノレートを該第一電極上に堆積させる工程を包含することを特徴とする、方法。
【誤訳訂正２】
【訂正対象書類名】明細書
【訂正対象項目名】００２８
【訂正方法】変更
【訂正の内容】
【００２８】
正孔輸送物質は、必要に応じて５〜９５％のリチウムキノレート対９５〜５％の正孔輸送化合物の比でリチウムキノレートと混合され得る。本発明の別の実施形態において、カソードとリチウムキノレート層の間に電子注入物質の層が存在し、この電子注入層は、好ましくは異なる金属キノレート（例えばアルミニウムキノレート）のような金属錯体であり、これは、電流がこれを通して流れたときに電子を輸送する。あるいは、電子注入物質は、リチウムキノレートと混合され得、そしてこれと共堆積され得る。
【誤訳訂正書】
【提出日】平成22年3月29日(2010.3.29)
【誤訳訂正１】
【訂正対象書類名】明細書
【訂正対象項目名】００６７
【訂正方法】変更
【訂正の内容】
【００６７】
局所組成物は、１つまたはそれ以上の浸透エンハンサーを含有できる。本発明のための好ましい浸透エンハンサーのなかでも、エタノール、プロピレングリコール、グリセロール、ラウリル酸エチル、パルミチン酸イソプロピル、ミリスチン酸イソプロピル、ラウロカプラム（商標アゾン（ＡｚｏｎｅＴＭ））、ジオキソラン（米国特許第４，８６１，７６４号に記述される）、大環状ケトン、ＨＰ−１０１、オキサゾリドンおよび生分解性浸透エンハンサー（アルキル−２−（Ｎ，Ｎ−二置換アミノ）アルカノエート（例えば、ドデシルＮ，Ｎ−ジメチルアミノイソプロピオネート（ＤＤＡＩＰ））、Ｎ，Ｎ−二置換アミノアルカノールアルカノエートのようなＷｏｎｇらに対する米国特許第４，９８０，３７８号および第５，０８２，８６６号に記述される）およびその混合物である。浸透エンハンサーは、プロスタグランジンＥ１の透過を増強するのに十分な量で存在する。特定の量は、所望の放出速度、使用されるプロスタグランジンＥ１の特定の形態によって必然的に変化する。一般に、浸透エンハンサーは、組成物の総重量に基づいて、約０．５重量％ないし約２０重量％の範囲にある量で存在する。好ましくは、浸透エンハンサーは、組成物の約１重量％ないし約１０重量％の範囲にある量で存在する。さらに好ましくは、浸透エンハンサーは、組成物の約１重量％ないし約５重量％の範囲にある量で存在する。
【誤訳訂正２】
【訂正対象書類名】明細書
【訂正対象項目名】００７０
【訂正方法】変更
【訂正の内容】
【００７０】
適切なアミドとしては、尿素、ジメチルアセトアミド、ジエチルトルアミド、ジメチルホルムアミド、ジメチルオクタミド、ジメチルデカミド、１−アルキル−４−イミダゾリン−２−オン、ピロリドン誘導体、環状アミド、ヘキサメチレンラウラミドおよびその誘導体、ジエタノールアミン、トリエタノールアミンおよびその混合物が挙げられる。適切なピロリドン誘導体としては、１−メチル−２−ピロリドン、２−ピロリドン、１−ラウリル−２−ピロリドン、１−メチル−４−カルボキシ−２−ピロリドン、１−ヘキシル−４−カルボキシ−２−ピロリドン、１−ラウリル−４−カルボキシ−２−ピロリドン、１−デシル−チオエチル−２−ピロリドン（ＨＰ−１０１）、１−メチル−４−メトキシカルボニル−２−ピロリドン、１−ヘキシル−４−メトキシカルボニル−２−ピロリドン、１−ラウリル−４−メトキシカルボニル−２−ピロリドン、Ｎ−シクロヘキシルピリロドン、Ｎ−ジメチルアミノプロピルピロリドン、Ｎ−コカアルキルピロリドン、Ｎ−タロウアルキルピロリドン、Ｎ−（２−ヒドロキシメチル）−２−ピロリドンの脂肪酸エステルおよびその混合物が挙げられる。適切な環状アミンとしては、１−ドデシルアザシクロヘプタン−２−オン（ラウロカプラム（ｌａｕｒｏｃａｐｒａｍ）、Ａｚｏｎｅ（登録商標））、１−ゲラニルアザシクロヘプタン−２−オン、１−ファルネシルアザシクロヘプタン−２−オン、１−ゲラニルゲラニルアザシクロヘプタン−２−オン、１−（３，７−ジメチルオクチル）アザシクロヘプタン−２−オン、１−（３，７，１１−トリメチルオクチル）アザシクロヘプタン−２−オン、１−ゲラニルアザシクロヘキサン−２−オン、１−ゲラニルアザシクロペンタン−２，５−ジオン、１−ファルネシルアザシクロペンタン−２−オンおよびその混合物が挙げられる。
【誤訳訂正３】
【訂正対象書類名】明細書
【訂正対象項目名】００８２
【訂正方法】変更
【訂正の内容】
【００８２】
さらに、所望の場合、公知経皮透過エンハンサーを添加することもできる。例示は、ジメチルスルホキシド（ＤＭＳＯ）、ジメチルアセトアミド（ＤＭＡ）、２−ピロリドン、Ｎ，Ｎ−ジエチル−ｍ−トルアミド（ＤＥＥＴ）、１−ドデシルアザシクロヘプタン−２−オン（ラウロカプラム（ｌａｕｒｏｃａｐｒｕｍ）、Ａｚｏｎｅ（登録商標）、Ｎｅｌｓｏｎ  Ｒｅｓｅａｒｃｈの登録商標）、Ｎ，Ｎ−ジメチルホルムアミド、Ｎ−メチル−２−ピロリドン、カルシウムチオグリコレート、オキサゾリジノン、アルキル−２−（Ｎ，Ｎ−二置換アミノ）アルカノエート（例えば、ドデシル・Ｎ，Ｎ−ジメチルアミノイソプロピオネート（ＤＤＡＩＰ））、Ｎ，Ｎ−二置換アミノアルカノールアルカノエート、ジオキソラン誘導体、ラウロカプラム誘導体、大環状ケトン類およびその混合物のような大環状エンハンサーである。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
複数の情報源（１１０）であって、各情報源（１１０）が、複数の資源を含む保健医療環境の中の一資源についての資源情報を含んでいる、当該複数の情報源（１１０）と、
前記複数の情報源（１１０）から資源情報を収集するためのコンピュープロセッサを含む処理装置（１２０）であって、当該処理装置（１２０）は、前記収集された資源情報に少なくとも部分的に基づいてパフォーマンス情報を生成し、前記パフォーマンス情報を前記複数の資源の内の少なくとも１つの資源のパフォーマンスに少なくとも部分的に対応させる処理装置（１２０）とを具備し、
前記コンピュータプロセッサ（１２０）が、前記パフォーマンス情報に部分的に基づいて、前記保健医療環境の少なくとも１つの資源の利用を示唆して当該保健医療環境での他の資源の利用の改善を達成するためのワークフロー勧告を生成することを特徴とする実時間保健医療業務意志決定支援システム。
【請求項２】
前記複数の情報源（１１０）の内の一情報源（１１０）は、データベース、医療情報システム及び取得モダリティの内の少なくとも１つである、請求項１記載のシステム。
【請求項３】
前記パフォーマンス情報は、複数の資源の内の少なくとも１つの資源についての経済的パフォーマンス・メトリクスを含んでいる、請求項１記載のシステム。
【請求項４】
前記処理装置（１２０）は、パフォーマンス情報を実質的に実時間で生成することができる、請求項１記載のシステム。
【請求項５】
さらに、前記パフォーマンス情報を表示するユーザ・インターフェース装置を具備したことを特徴とする請求項１記載のシステム。
【請求項６】
前記ユーザ・インターフェース装置は前記パフォーマンス情報をフィルタリングすることができる、請求項１記載のシステム。
【請求項７】
前記ユーザ・インターフェース装置は、ユーザの選択に少なくとも部分的に基づいて構成することができる、請求項５記載のシステム。
【請求項８】
前記処理装置（１２０）はパフォーマンス・モデルを作成することができる、請求項１記載のシステム。
【請求項９】
前記処理装置（１２０）は、前記モデルに少なくとも部分的に基づいてワークフロー勧告を生成することができる、請求項８記載のシステム。
【請求項１０】
複数の情報源（１１０）から資源情報を収集する工程であって、各々の情報源（１１０）が保健医療環境についての資源情報を含んでいる、当該工程と、
コンピュータプロセッサを備える処理装置を用いて前記収集された資源情報に少なくとも部分的に基づいてパフォーマンス情報を生成する工程と、
前記パフォーマンス情報に少なくとも部分的に基づいて、前記保健医療環境の少なくとも１つの資源の利用を示唆して当該保健医療環境での他の資源の利用の改善を達成するためのワークフロー勧告を決定する工程と、を含んでいる、実時間保健医療業務意志決定支援方法。
【請求項１１】
前記勧告は過去のパフォーマンス情報に少なくとも部分的に基づいて生成される、請求項１０記載の方法。
【請求項１２】
前記勧告は、ユーザによって供給された資源情報に少なくとも部分的に基づいて生成される、請求項１０記載の方法。
【請求項１３】
前記勧告はワークフロー・ボトルネックの自動識別を含んでいる、請求項１０記載の方法。
【請求項１４】
前記勧告は現在のワークフロー・パターンに少なくとも部分的に基づいて生成される、請求項１０記載の方法。
【請求項１５】
コンピュータで実行するための一組の命令を含むコンピュータ読取り可能な媒体であって、前記一組の命令は、
各々が保健医療環境内の一資源についての資源情報を含む複数の情報源（１１０）から資源情報を収集するように構成されている資源収集ルーチンと、
前記収集された資源情報に少なくとも部分的に基づいてパフォーマンス情報を、実質的に実時間で、生成するように構成されている処理ルーチンと、
前記保健医療環境の少なくとも１つの資源の利用を示唆して当該保健医療環境での他の資源の利用の改善を達成するためのワークフロー勧告を決定する勧告ルーチンと、
を含んでいる、コンピュータ読取り可能な媒体。
【手続補正２】
【補正対象書類名】明細書
【補正対象項目名】０００８
【補正方法】変更
【補正の内容】
【０００８】
現在のシステムは、例えば、将来必要とされるものを予測し且つパフォーマンス及び効率についての新しい又は異なる資源の効果を予測することができない。管理者は、彼らの意志決定を裏付ける確かなデータが無ければ、盲目的な決定をせざるをえない。例えば、現在のシステムでは、施設管理者が現在の及び過去の及び予想される将来の需要に基づいて新しいイメージング・モダリティを取得する効果を予測し又はモデル化することができない。
【引用文献】
【特許文献】
【特許文献１】米国特許出願公開第２００５／００５５２４２号
【特許文献２】米国特許出願公開第２００５／０１８７８０９号
【特許文献３】米国特許出願公開第２００２／０１１１８２６号
【特許文献４】米国特許出願公開第２００５／０３８６７６号
【特許文献５】日本公表特許２００８―５０７０２９